(57)【特許請求の範囲】
【請求項１】
抱擁体、
前記抱擁体を抱擁する乳幼児期の子どもの呼吸を検出する検出手段、
前記乳幼児期の子どもに対して音声を出力する出力手段、
前記検出手段によって検出された前記乳幼児期の子どもの呼吸から単位時間当たりの呼吸数を検出する呼吸数検出手段、
前記呼吸数検出手段によって検出された呼吸数が閾値よりも少ないとき、前記乳幼児期の子どもに対して出力されている音声の音量を下げる音量制御手段、および
前記呼吸数検出手段によって検出された呼吸数に基づいて前記乳幼児期の子どもが寝付いたと判断されたとき、前記乳幼児期の子どもが寝付いたことを通知する通知手段を備える、睡眠管理装置。
【請求項２】
前記通知手段は、前記睡眠管理装置と通信可能な前記乳幼児期の子どもの保護者の携帯端末に、前記乳幼児期の子どもが寝付いたことを通知する、請求項１記載の睡眠管理装置。
【請求項３】
コンテンツを記憶する記憶手段をさらに備え、
前記出力手段は、前記コンテンツに対応する音声を出力する、請求項１または２記載の睡眠管理装置。
【請求項４】
音声を受信する受信手段をさらに備え、
前記出力手段は、前記受信手段によって受信された音声を出力する、請求項１ないし３のいずれかに記載の睡眠管理装置。
【請求項５】
前記抱擁体が前記乳幼児期の子どもによって抱擁されたとき、当該乳幼児期の子どもに近接するスピーカをさらに備え、
前記出力手段は、前記スピーカから音声を出力する、請求項１ないし４のいずれかに記載の睡眠管理装置。
【請求項６】
前記検出手段は、前記抱擁体が前記乳幼児期の子どもによって抱擁されたとき、当該乳幼児期の子どもに近接するマイクを含み、
前記呼吸数検出手段は、前記マイクによって集音された前記乳幼児期の子どもの呼吸音から単位時間当たりの呼吸数を検出する、請求項１ないし５のいずれかに記載の睡眠管理装置。
【請求項７】
抱擁体および前記抱擁体を抱擁する乳幼児期の子どもの呼吸を検出する検出手段を有する、睡眠管理装置のプロセッサを、
前記乳幼児期の子どもに対して音声を出力する出力手段、
前記検出手段によって検出された前記乳幼児期の子どもの呼吸から単位時間当たりの呼吸数を検出する呼吸数検出手段、
前記呼吸数検出手段によって検出された呼吸数が閾値よりも少ないとき、前記乳幼児期の子どもに対して出力されている音声の音量を下げる音量制御手段、および
前記呼吸数検出手段によって検出された呼吸数に基づいて前記乳幼児期の子どもが寝付いたと判断されたとき、前記乳幼児期の子どもが寝付いたことを通知する通知手段として機能させる、睡眠管理プログラム。
【請求項８】
抱擁体、
前記抱擁体を抱擁する乳幼児期の子どもの呼吸を検出する検出手段、
前記乳幼児期の子どもを撮影するカメラ、
前記カメラによって撮影された前記乳幼児期の子どもの画像を送信する送信手段、
前記乳幼児期の子どもに対して音声を出力する出力手段、
前記検出手段によって検出された前記乳幼児期の子どもの呼吸から単位時間当たりの呼吸数を検出する呼吸数検出手段、
前記呼吸数検出手段によって検出された呼吸数が閾値よりも少ないとき、前記乳幼児期の子どもに対して出力されている音声の音量を下げる音量制御手段、および
前記呼吸数検出手段によって検出された呼吸数に基づいて前記乳幼児期の子どもが寝付いたと判断されたとき、前記乳幼児期の子どもが寝付いたことを通知する通知手段を備える、睡眠管理システム。
【請求項９】
前記送信手段は、前記乳幼児期の子どもの保育者の携帯端末から画像の送信を要求されたとき、前記カメラによって撮影された前記乳幼児期の子どもの画像を前記携帯端末へ送信する、請求項８記載の睡眠管理システム。
【請求項１０】
前記抱擁体を抱擁する前記乳幼児期の子どもの加速度を検出する加速度検出手段、
前記送信手段は、前記加速度検出手段によって検出された加速度に基づいて前記乳幼児期の子どもが異常行動を行ったと判断されたとき、前記カメラによって撮影された前記乳幼児期の子どもの画像を送信する、請求項８または９記載の睡眠管理システム。
【請求項１１】
前記加速度検出手段によって検出された加速度が所定値よりも大きいとき、前記乳幼児期の子どもが異常行動を行ったと判断する、請求項１０記載の睡眠管理システム。
【請求項１２】
前記検出手段は、前記乳幼児期の子どもが呼吸するときの呼吸動作を検出する伸縮センサを含み、
前記呼吸数検出手段は、前記伸縮センサによって検出された呼吸動作から単位時間当たりの呼吸数を検出する、請求項８ないし１１のいずれかに記載の睡眠管理システム。
【請求項１３】
前記検出手段は、当該乳幼児期の子どもの生体情報を検出する生体センサをさらに含み、
前記呼吸数検出手段は、前記生体センサによって検出された生体情報から単位時間当たりの呼吸数を検出する、請求項８ないし１２のいずれかに記載の睡眠管理システム。
【発明の詳細な説明】
【技術分野】
【０００１】
この発明は、睡眠管理装置、睡眠管理プログラム、睡眠管理方法および睡眠管理システムに関し、特にたとえば、ユーザが寝るときに利用される、睡眠管理装置、睡眠管理プログラム、睡眠管理方法および睡眠管理システムに関する。
【背景技術】
【０００２】
背景技術の一例が特許文献１に開示されている。この特許文献１の入眠誘導システムでは、入眠センサおよび呼吸センサがベッドに設けられており、ユーザはそのベッドに横たわった状態で入眠誘導システムを利用する。ベッドのベッドボードには２つのスピーカが設けられており、たとえば入眠誘導モードでは、ユーザの呼吸に合わせて変化するコンテンツがスピーカから出力される。そして、入眠状態になったことが検出されると、睡眠中モードに移行し、スピーカら出力される音が停止する。
【先行技術文献】
【特許文献】
【０００３】
【特許文献１】特開２０１１−２５５００８[A61M 21/02, A61B 5/16, A61M 21/00]
【発明の概要】
【発明が解決しようとする課題】
【０００４】
ところが、引用文献１の入眠誘導システムを乳幼児などの子どもに利用させる場合、子どもはベッドで横たわって落ち着くことが出来ない場合がある。また、子どもがベッドで横たわって落ち着かない場合、子どもの呼吸は検出されず、コンテンツは子どもの呼吸に合わせてスピーカから出力されない。さらに、このような状態の子どもはスピーカから出力されているコンテンツに耳を傾けないことも考えられる。このように、引用文献１の入眠誘導システムを子どもに利用させても、入眠誘導システムは正しく機能しない可能性がある。
【０００５】
それゆえに、この発明の主たる目的は、新規な、睡眠管理装置、睡眠管理プログラム、睡眠管理方法および睡眠管理システムを提供することである。
【０００６】
この発明の他の目的は、ユーザを容易に寝付かせることが出来る、睡眠管理装置、睡眠管理プログラム、睡眠管理方法および睡眠管理システムを提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、抱擁体、抱擁体を抱擁する乳幼児期の子どもの呼吸を検出する検出手段、乳幼児期の子どもに対して音声を出力する出力手段、検出手段によって検出された乳幼児期の子どもの呼吸から単位時間当たりの呼吸数を検出する呼吸数検出手段、呼吸数検出手段によって検出された呼吸数が閾値よりも少ないとき、乳幼児期の子どもに対して出力されている音声の音量を下げる音量制御手段、および呼吸数検出手段によって検出された呼吸数に基づいて乳幼児期の子どもが寝付いたと判断されたとき、乳幼児期の子どもが寝付いたことを通知する通知手段を備える、睡眠管理装置である。
【０００９】
第１の発明では、睡眠管理装置（１０：実施例において対応する部分を例示する参照符号。以下、同じ。）では、抱擁体（２０）は、たとえば人間のミニマルデザインに基づく外観、形状を有する。たとえば、ユーザである乳幼児期の子どもは自分の体に抱擁体を密着させることで安心感を得て、それによって子どもは癒しを実感する。検出手段（４６，２２２）は、たとえば乳幼児期の子どもの呼吸音を利用して、抱擁体を抱擁する子どもの呼吸を検出する。出力手段（６０，２１０，Ｓ３）は、たとえば再生されたコンテンツの音声を出力する。呼吸数検出手段（６０，２１０，Ｓ５）は、検出された乳幼児期の子どもの呼吸をカウントすることで、単位時間当たりの呼吸数を検出する。たとえば、呼吸数が閾値よりも少ない場合、子どもが寝付いたと判断することができる。そのため、音量制御手段（６０，２１０，Ｓ９）は、呼吸数が閾値よりも少ない場合、乳幼児期の子どもが寝付いたと判断し、子どもに対して出力されている音声の音量を下げる。通知手段（６０，２１０，Ｓ１１）は、検出された呼吸数が閾値より少ないとき、たとえば乳幼児期の子どもの保護者の携帯端末（１４）に対して子どもが寝付いたことを通知する。
【００１０】
第１の発明によれば、乳幼児期の子どもは、抱擁体を抱擁することで癒しを実感し、落ち着いて音声を聞くことが出来るため、子どもは容易に寝付くことが出来る。また、乳幼児期の子どもが寝付いたときには、出力されている音声の音量が下がるため、出力されている音声が子どもの睡眠を妨げることはない。そして、たとえば乳幼児期の子どもの保護者は、子どもの傍にいない状態であっても、子どもが寝付いたことを確認することが出来る。
【００１１】
第２の発明は、第１の発明に従属し、通知手段は、乳幼児期の子どもの携帯端末に、乳幼児期の子どもが寝付いたことを通知する。
【００１２】
第２の発明では、通知手段（６０，２１０，Ｓ１１）は、睡眠管理装置と通信可能な乳幼児期の子どもの保護者の携帯端末（１４）に、乳幼児期の子どもが寝付いたことを通知する。
【００１３】
第２の発明によれば、たとえば乳幼児期の子どもの保護者は、携帯端末で通知を受けることが出来るので、子どもと離れていても、子どもが寝付いたことを確認することが出来る。
【００１４】
第３の発明は、第１の発明または第２の発明に従属し、コンテンツを記憶する記憶手段をさらに備え、出力手段は、コンテンツに対応する音声を出力する。
【００１５】
第３の発明では、記憶手段（７６，２１８）は、たとえばメモリであり、子守唄などのコンテンツを記憶する。たとえば、子守唄のコンテンツが再生されると、出力手段は子守唄の音声を出力する。
【００１６】
第３の発明によれば、たとえば乳幼児期の子どもの保護者は、子どもを寝付かせる際には、予め用意したコンテンツを再生すればよい。つまり、予め用意したコンテンツを利用して、子どもを容易に寝付かせることが出来る。
【００１７】
第４の発明は、第１の発明ないし第３の発明のいずれかに従属し、音声を受信する受信手段をさらに備え、出力手段は、受信手段によって受信された音声を出力する。
【００１８】
第４の発明では、受信手段（６４，６６，２１４，２１６）は、たとえば音声通話機能によって通話可能状態が確立されると、通話相手の音声を受信する。出力手段は、たとえば通話相手の音声を出力する。
【００１９】
第４の発明によれば、たとえば乳幼児期の子どもの保護者は、子どもの状況に合わせて子どもに対して話しかけることが出来る。
【００２０】
第５の発明は、第１の発明ないし第３の発明のいずれかに従属し、抱擁体が乳幼児期の子どもによって抱擁されたとき、当該乳幼児期の子どもに近接するスピーカをさらに備え、出力手段は、スピーカから音声を出力する。
【００２１】
第５の発明では、スピーカ（４８，２２６）は、抱擁体が乳幼児期の子どもによって抱擁されたときに近接するように、抱擁体に設けられたポケット（２６）に収納されている。そのため、スピーカは、抱擁体が乳幼児期の子どもによって抱擁されたとき、当該乳幼児期の子どもに近接する。そして、出力手段は、このようなスピーカから音声を出力する。
【００２２】
第５の発明によれば、乳幼児期の子どもは、抱擁体を抱擁することで、癒しを実感しながら、音声を聞くことが出来る。
【００２３】
第６の発明は、第１の発明ないし第５の発明のいずれかに従属し、検出手段は、抱擁体が乳幼児期の子どもによって抱擁されたとき、当該乳幼児期の子どもに近接するマイクを含み、呼吸数検出手段は、マイクによって集音された乳幼児期の子どもの呼吸音から単位時間当たりの呼吸数を検出する。
【００２４】
第６の発明では、マイク（４６，２２２）は、抱擁体が乳幼児期の子どもによって抱擁されたときに近接するように、抱擁体に設けられたポケット（２６）に収納されている。そのため、マイクは、抱擁体が乳幼児期の子どもによって抱擁されたとき、当該乳幼児期の子どもに近接する。そして、このようなマイクによって集音された乳幼児期の子どもの呼吸音から、呼吸数検出手段は単位時間当たりの呼吸数を検出する。
【００２５】
第６の発明によれば、乳幼児期の子どもが抱擁体を抱擁すればマイクが子どもの口元に近づくため、子どもの呼吸音を適切に集音することができる。
【００２６】
第７の発明は、抱擁体（２０）および抱擁体を抱擁する乳幼児期の子どもの呼吸を検出する検出手段（４６，２２２）を有する、睡眠管理装置（１０）のプロセッサ（６０，２１０）を、乳幼児期の子どもに対して音声を出力する出力手段（Ｓ３）、検出手段によって検出された乳幼児期の子どもの呼吸から単位時間当たりの呼吸数を検出する呼吸数検出手段（Ｓ５）、呼吸数検出手段によって検出された呼吸数が閾値よりも少ないとき、乳幼児期の子どもに対して出力されている音声の音量を下げる音量制御手段（Ｓ９）、および呼吸数検出手段によって検出された呼吸数に基づいて乳幼児期の子どもが寝付いたと判断されたとき、乳幼児期の子どもが寝付いたことを通知する通知手段（６０，２１０，Ｓ１１）として機能させる、睡眠管理プログラムである。
【００２８】
第７の発明でも、第１の発明と同様の効果を得ることが出来る。
【００２９】
第８の発明は、抱擁体、抱擁体を抱擁する乳幼児期の子どもの呼吸を検出する検出手段、乳幼児期の子どもを撮影するカメラ、カメラによって撮影された乳幼児期の子どもの画像を送信する送信手段、乳幼児期の子どもに対して音声を出力する出力手段、検出手段によって検出された乳幼児期の子どもの呼吸から単位時間当たりの呼吸数を検出する呼吸数検出手段、呼吸数検出手段によって検出された呼吸数が閾値よりも少ないとき、乳幼児期の子どもに対して出力されている音声の音量を下げる音量制御手段、および呼吸数検出手段によって検出された呼吸数に基づいて乳幼児期の子どもが寝付いたと判断されたとき、乳幼児期の子どもが寝付いたことを通知する通知手段を備える、睡眠管理システムである。
【００３０】
第８の発明では、抱擁体（２０）、検出手段（４６）、出力手段（６０，Ｓ３）、呼吸数検出手段（６０，Ｓ５）および音量制御手段（６０，Ｓ９）は、第１の発明と同じである。カメラ（１６）は、たとえば近距離無線通信を確立することが可能であり、ユーザである乳幼児期の子どもを撮影する。たとえば、送信手段（６０，Ｓ２７）は、このようなカメラによって撮影された乳幼児期の子どもの画像を、子どもの保護者が所持する携帯端末（１４）に送信する。通知手段（６０，２１０，Ｓ１１）は、検出された呼吸数が閾値より少ないとき、たとえば乳幼児期の子どもの保護者に対して子どもが寝付いたことを通知する。
【００３１】
第９の発明でも、第１の発明と同様の効果を得ることが出来る。
【００３２】
また、たとえば乳幼児期の子どもの保護者は、子どもの状態を画像によって確認することが出来るため、子どもの近くに常に待機する必要がなくなる。
【００３３】
第９の発明は、第８の発明に従属し、送信手段は、乳幼児期の子どもの保育者の携帯端末から画像の送信を要求されたとき、カメラによって撮影された乳幼児期の子どもの画像を携帯端末へ送信する。
【００３４】
第９の発明では、たとえば、乳幼児期の子どもの保護者が自身の携帯端末に対して画像の送信を要求する操作を行うと、カメラによって撮影された子どもの画像が、保護者の携帯端末に対して送信される。
【００３５】
第９の発明によれば、乳幼児期の子どもの保護者は、必要なときに子どもの状態を確認することが出来る。
【００３６】
第１０の発明は、第８の発明または第９の発明に従属し、抱擁体を抱擁する乳幼児期の子どもの加速度を検出する加速度検出手段、送信手段は、加速度検出手段によって検出された加速度に基づいて乳幼児期の子どもが異常行動を行ったと判断されたとき、カメラによって撮影された乳幼児期の子どもの画像を送信する。
【００３７】
第１０の発明では、加速度検出手段（８０）は、たとえば加速度センサであり、抱擁体を抱擁する乳幼児期の子どもの加速度を検出する。たとえば、乳幼児期の子どもが抱擁体を使って寝ようとしていない動作は異常動作とされ、加速度に基づいて乳幼児期の子どもが異常動作を行ったかが判断される。そして、乳幼児期の子どもが異常動作を行ったと判断されたとき、送信手段はカメラによって撮影された乳幼児期の子どもの画像を、たとえば子どもの保護者の携帯端末に送信する。
【００３８】
第１０の発明によれば、乳幼児期の子どもの保護者は、子どもが異常動作を行ったことに気づくことが出来ると共に、そのときの子どもの状態を確認することが出来る。
【００３９】
第１１の発明は、第１０の発明に従属し、加速度検出手段によって検出された加速度が所定値よりも大きいとき、乳幼児期の子どもが異常行動を行ったと判断する。
【００４０】
第１２の発明は、第８の発明ないし第１１の発明のいずれかに従属し、検出手段は、乳幼児期の子どもが呼吸するときの呼吸動作を検出する伸縮センサを含み、呼吸数検出手段は、伸縮センサによって検出された呼吸動作から単位時間当たりの呼吸数を検出する。
【００４１】
第１２の発明では、抱擁体に対して環状の伸縮センサが設けられる。乳幼児期の子どもが抱擁体を抱擁するときに環状の伸縮センサが乳幼児期の子どもに取り付けられ、その子どもの呼吸動作が伸縮センサによって検出される。そして、伸縮センサによって検出された呼吸動作から、単位時間当たりの呼吸数が検出される。
【００４２】
第１３の発明は、第８の発明ないし第１２の発明のいずれかに従属し、検出手段は、当該乳幼児期の子どもの生体情報を検出する生体センサをさらに含み、呼吸数検出手段は、生体センサによって検出された生体情報から単位時間当たりの呼吸数を検出する。
【００４３】
第１３の発明では、生体センサは、たとえば乳幼児期の子どもの足などに取り付けられ、乳幼児期の子どもの生体情報を検出する。そして、生体センサによって検出された生体情報から、単位時間当たりの呼吸数が検出される。
【００４４】
第１３の発明および第１４の発明によれば、単位時間当たりの呼吸数は、マイクだけに限らず、伸縮センサや生体センサなどの様々なセンサを利用して検出することが出来る。
【発明の効果】
【００４５】
この発明によれば、ユーザを容易に寝付かせることが出来る。
【００４６】
この発明の上述の目的、その他の目的、特徴および利点は、図面を参照して行う以下の実施例の詳細な説明から一層明らかとなろう。
【図面の簡単な説明】
【００４７】
【図１】図１はこの発明の一実施例の睡眠管理装置が利用されている状態の一例を示す図解図である。
【図２】図２は図１に示す睡眠管理装置の外観の一例を示す図解図であり、図２（Ａ）は正面側を示し、図２（Ｂ）は背面側を示し、図２（Ｃ）は右側面を示し、図２（Ｄ）は図２（Ｂ）に示す線における断面を示す図解図である。
【図３】図３は図１に示す携帯端末の一例を示す図解図である。
【図４】図４は図３に示す携帯端末の電気的な構成の一例を示す図解図である。
【図５】図５は図４に示すメモリのメモリマップの一例を示す図解図である。
【図６】図６は図４に示すプロセッサの睡眠管理処理の一例を示すフロー図である。
【図７】図７は図１に示す睡眠管理装置が利用されている状態の他の一例を示す図解図である。
【図８】図８は図４に示すプロセッサの睡眠管理処理の他の一例を示すフロー図である。
【図９】図９は第３実施例の睡眠管理システムの一例を示す図解図である。
【図１０】図１０は図９に示す無線カメラの電気的な構成の一例を示す図解図である。
【図１１】図１１は図４に示すメモリのメモリマップの他の一例を示す図解図である。
【図１２】図１２は図４に示すプロセッサの画像送信処理の一例を示すフロー図である。
【図１３】図１３は図１に示す睡眠管理装置が利用されている状態のその他の一例を示す図解図である。
【図１４】図１４は図１３に示すＦＭ受信機の電気的な構成の一例を示す図解図である。
【発明を実施するための形態】
【００４８】
＜第１実施例＞
図１を参照して、この実施例の睡眠管理装置１０は、乳幼児期の子どもなどのユーザによって抱擁（ハグ）され、ユーザが寝るときに利用される。携帯端末１２は睡眠管理装置１０のポケット２６（図２（Ａ）など参照）に収納される。また、睡眠管理装置１０がユーザによって抱擁されている状態では、携帯端末１２はユーザの顔に近接した状態となる。
【００４９】
たとえば、ユーザは、自分の体に睡眠管理装置１０を密着させることで安心感を得て、それによってユーザは癒しを実感する。そのため、ベッドなどに横なっている状態のユーザは、睡眠管理装置１０を抱擁することで安心感を得て、癒しを実感する。なお、睡眠管理装置１０による癒しの効果については、特願２０１３−１４２６７４号を参照されたい。
【００５０】
図２を参照して、睡眠管理装置１０は、一例として、人間のミニマルデザインに基づく外観、形状を有するように作られる。つまり、本実施例の睡眠管理装置１０の本体である抱擁体２０は、人間の頭に相当してかつ頭と見える頭部２０ａと、その下の、人間の胴体に相当してかつ胴体と見える胴体部２０ｂと、胴体部２０ｂから左右に延びる、人間の手および腕に相当して手および腕と見える腕部２０ｃと、胴体部２０ｂの下部であって人間の足に相当しかつ足と見える足部２０ｄとを含む。睡眠管理装置１０のサイズは、全体として約４０ｃｍの背の高さを有し、太さはユーザが腕を回して抱擁できる程度の大きさ、たとえば胴体部２０ｂの直径はおよそ６０ｃｍ±２０ｃｍ程度に設定される。
【００５１】
睡眠管理装置１０は、特に図２（Ｄ）の断面図からよくわかるように、たとえば上述のような外観を有する外被２２を含み、この外被２２の中に、内蔵物２４が内蔵される。外被２２は任意の材料からなる生地、たとえば布状の生地、網状の生地、膜またはシート状の生地などで作ることができるが、本実施例では、たとえばサテンのような布を縫製して作っている。外被２２の材料としては、その他、シリコンまたは塩化ビニルなどの合成樹脂などが利用可能である。そして、睡眠管理装置１０はユーザに抱かせるものであるので、外被２２としては、肌触りのよい素材であって、できるだけ抗菌性および防汚性の少なくとも一方があるものが好ましい。
【００５２】
外被２２の中に収容される内蔵物２４は、たとえば発泡ウレタンまたは綿などを外被２２と同様の形状に予め成形したものであってもよく、たとえば発泡スチロールなど合成樹脂のビーズ（たとえば直径１ｍｍ程度）であってもよい。前者の場合は、内蔵物２４自体が睡眠管理装置１０の外観形状を形成するので、内蔵物２４の上に外被２２を被せるだけでよいが、後者の場合には、内蔵物２４自体は定形を持っていないので、先に準備した外被２２の中にビーズを詰め込むという手順で睡眠管理装置１０を作ることになる。いずれの場合にも、睡眠管理装置１０すなわち内蔵物２４は弾性を持っていてもよいし、弾性を持っていなくてもよい。しかしながら、重すぎないことが望ましいので、発泡樹脂などが内蔵物２４の材料として好適する。
【００５３】
さらに、内蔵物２４として、睡眠管理装置１０の外観、形状と同型の合成樹脂またはゴムの袋に気体または液体を入れた、風船または水風船などを利用することも考えられる。
【００５４】
このような睡眠管理装置１０の、人間の頭に相当する部分すなわち頭部２０ａの側面、実施例では右側面には、ポケット２６が形成される。このポケット２６は、図２（Ｃ）に示すように、携帯端末１２をその中に収納するためのものである。そして、携帯端末１２は、ポケット２６に対して容易に出し入れすることが出来る。したがって、保護者は、携帯端末１２の充電などのメンテナンス作業を容易に行うことが出来る。なお、ポケット２６は収納部または収容部と言われることもある。
【００５５】
睡眠管理装置１０の頭部２０ａとその下の胴体部２０ｂとの間にはくびれ部２８が形成されていて、このくびれ部２８は、頭部２０ａの変位を可能にするためのものである。たとえば、頭部２０ａをユーザの頭の方に引き寄せるように変位させることによって、頭部２０ａのポケット２６に収納されている携帯端末１２をユーザの顔に近接させることが出来る。つまり、ポケット２６は、睡眠管理装置１０がユーザに抱擁されている状態では、ユーザの耳元および口元に近接する位置に設けられている。
【００５６】
図３を参照して、携帯端末１２は、スマートフォン（smartphone）とも言われる携帯電話機である。携帯端末１２は縦長の扁平矩形のハウジング４０を含む。ハウジング４０の主面（表面）には、たとえば液晶または有機ＥＬなどで構成されるディスプレイ４２が設けられる。ディスプレイ４２の上には、タッチパネル４４が設けられる。
【００５７】
ハウジング４０の縦方向一端の主面側にマイク４６が内蔵され、縦方向他端の主面側にスピーカ４８が内蔵される。
【００５８】
ハウジング４０の主面には、タッチパネル４４と共に入力操作手段を構成する操作キー５０が設けられる。
【００５９】
たとえば、ディスプレイ４２に表示されたダイヤルパッドに対してタッチ操作が行うことで電話番号が入力され、通話を開始する操作されると音声通話が開始される。通話を終了する操作されると音声通話が終了する。また、操作キー５０を長押しすることによって、携帯端末１２の電源をオン／オフすることができる。
【００６０】
また、操作キー５０が短押しされると、ディスプレイ４２にホーム画面が表示される。その状態でディスプレイ４２に表示されているＧＵＩに対して、タッチ操作を行うことによって携帯端末１２を操作することが出来る。
【００６１】
なお、他の実施例では、フィーチャーフォン(featurephone)と言われる携帯電話機や、ＰＤＡなどが携帯端末１２として利用されてもよい。
【００６２】
図４を参照して、図３に示す実施例の携帯端末１２は、コンピュータまたはＣＰＵとも言われるプロセッサ６０などを含む。プロセッサ６０には、バス６２を介して、無線通信回路６４、Ａ／Ｄ変換器６８、Ｄ／Ａ変換器７０、入力装置７２、表示ドライバ７４、メモリ７６、タッチパネル制御回路７８、加速度センサ８０およびＢｌｕｅｔｏｏｔｈ（登録商標）モジュール８２などが接続される。
【００６３】
また、無線通信回路６４にはアンテナ６６が接続され、Ａ／Ｄ変換器６８にはマイク４６が接続され、Ｄ／Ａ変換器７０にはスピーカ４８が接続され、表示ドライバ７４にはディスプレイ４２が接続され、タッチパネル制御回路７８にはタッチパネル４４が接続される。
【００６４】
プロセッサ６０は携帯端末１２の動作を制御する。メモリ７６は、記憶手段とも言われ、ＲＯＭ、フラッシュメモリおよびＲＡＭを含む。ＲＯＭおよびフラッシュメモリには、音声および映像のようなコンテンツのデータが記録される。ＲＡＭには、ＲＯＭまたはフラッシュメモリに予め設定されているプログラムの全部または一部が使用に際して展開され、プロセッサ６０はこのＲＡＭ上のプログラムに従って動作する。また、ＲＡＭはさらに、プロセッサ６０のワーキング領域ないしバッファ領域として用いられる。なお、プロセッサ６０は、後述するデジタルフィルタ用のＤＳＰ(Digital Signal Processor)６０ａを含む。
【００６５】
入力装置７２は、図３に示す操作キー５０を含む。そのため、キー操作を受け付けた操作キー５０の情報（キーデータ）は入力装置７２によってプロセッサ６０に入力される。
【００６６】
無線通信回路６４は、アンテナ６６を通して、音声通話およびメールなどのための電波を送受信するための回路である。たとえば、タッチパネル４４が受け付けた発呼（音声発信）の操作に基づき、無線通信回路６４は、プロセッサ６０の指示の下、音声発信処理を実行し、アンテナ６６を介して音声発信信号を出力する。音声発信信号は、基地局および通信網を経て相手の電話機に送信される。そして、相手の電話機において音声着信処理が行われると、通信可能状態が確立され、プロセッサ６０は通話処理を実行する。なお、無線通信回路６４およびアンテナ６６はまとめて受信手段と言われることもある。
【００６７】
Ａ／Ｄ変換器６８は、上述のようにマイク４６から得られたアナログの音声信号をデジタルの音声データに変換し、その音声データをプロセッサ６０に入力する。Ｄ／Ａ変換器７０は、デジタルの音声データをアナログの音声信号に変換して、アンプを介してスピーカ４８に与える。したがって、音声データに基づく音声がスピーカ４８から出力される。そして、通話処理が実行されている状態では、マイク４６によって集音された音声が相手の電話機に送信され、通話相手の音声が、スピーカ４８から出力される。
【００６８】
なお、後述するコンテンツが再生された場合も、コンテンツの音声データに基づく音声が、スピーカ４８から出力される。
【００６９】
表示ドライバ７４には図２に示すディスプレイ４２が接続され、したがって、ディスプレイ４２はプロセッサ６０から出力される映像データまたは画像データに従って映像または画像を表示する。表示ドライバ７４は表示するためのデータを一時的に記憶するビデオメモリを含んでおり、プロセッサ６０から出力されたデータはこのビデオメモリに記憶される。そして、表示ドライバ７４は、ビデオメモリの内容に従って、ディスプレイ４２に画像を表示する。つまり、表示ドライバ７４は、プロセッサ６０の指示の下、当該表示ドライバ７４に接続されたディスプレイ４２の表示を制御する。
【００７０】
タッチパネル制御回路７８には、図２に示すタッチパネル４４が接続される。タッチパネル制御回路７８は、タッチパネル４４に必要な電圧などを付与すると共に、タッチパネル４４に対するタッチの開始を示すタッチ開始信号、タッチの終了を示す終了信号、およびタッチされたタッチ位置を示す座標データをプロセッサ６０に入力する。したがって、プロセッサ６０はこの座標データおよびその座標データの変化に基づいて、タッチ操作に対応する処理を実行する。
【００７１】
加速度センサ８０は、それぞれがセンサに対してある方向にどの程度の加速度がかかっているかを検出するものであり、一度に３つの軸方向の加速度を検出することができる３軸の加速度センサである。なお、加速度センサ８０は加速度検出手段と言われることもある。
【００７２】
Ｂｌｕｅｔｏｏｔｈ（以下、ＢＴと省略する。）モジュール８２は、ＢＴ通信回路とＢＴ通信に必要なアンテナなどを含む。そして、ＢＴモジュール８２は、他の通信機器との間に、マスタおよびスレーブの関係を有するＢＴ通信を確立するために用いられる。
【００７３】
たとえば、携帯端末１２でＢＴ通信が有効にされ、マスタとして動作するように設定されると、携帯端末１２は、スレーブとして動作する通信機器を検索する。このとき、通信機器側でＢＴ通信を開始する操作が行われると、通信機器はスレーブとして動作し、マスタ端末の接続要求に応答する接続待機状態に遷移する。その結果、マスタとして動作する携帯端末１２は、スレーブとして動作する通信機器を発見することが出来る。携帯端末１２が通信機器を発見すると、通信機器に設定されたパスコード（ＰＩＮ）の入力が携帯端末１２を操作する人物に求められる。携帯端末１２が正しいＰＩＮの入力を受け付けた場合、携帯端末１２と通信機器との間でＢＴ通信が確立される。そして、ＢＴ通信が確立されると、データの送受信を行うことが可能になる。
【００７４】
また、携帯端末１２は、上述したＤＳＰ６０ａを利用したデジタルフィルタ機能を有している。デジタルフィルタ機能とは、ＤＳＰ６０ａをローパスフィルタ（Low-pass filter：ＬＰＦ）、ハイパスフィルタ（High-pass filter：ＨＰＦ）およびバンドパスフィルタ（Band-pass filter：ＢＰＦ）などとして機能させることで、マイク４６によって集音された音声の音声データに対して、デジタル信号処理を施す。
【００７５】
たとえば、マイク４６によって集音された音声のうち特定の周波数帯の音声を通過させるように、ＤＳＰ６０ａをＢＰＦとして機能させた場合、プロセッサ６０は特定の周波数帯の音声の音声データを得ることが出来る。
【００７６】
また、携帯端末１２はメモリ７６に記憶されているコンテンツを再生することが可能なコンテンツ再生機能を有している。
【００７７】
そして、ユーザの睡眠を管理する睡眠管理機能も有しており、この睡眠管理機能では、デジタルフィルタ機能およびコンテンツ再生機能が利用される。
【００７８】
上述した睡眠管理機能について具体的に説明する。睡眠管理機能が実行されると、コンテンツ再生機能も実行され、任意のコンテンツを選択可能な状態になる。たとえば、ユーザの保護者が任意のコンテンツを選択すると、そのコンテンツが再生され、コンテンツに対応する音声がスピーカ４８から出力される。この状態で、携帯端末１２は睡眠管理装置１０のポケット２６に収納される。
【００７９】
次に、保護者は、携帯端末１２がポケット２６に収納された睡眠管理装置１０を、たとえばベッドで横になっているユーザに抱擁させる。このとき、ユーザの耳元および口元に、携帯端末１２が収納されたポケット２６が近接した状態になる。そのため、ユーザは、携帯端末１２から出力されるコンテンツの音声を耳元で聞くことが出来る。したがって、ユーザは、睡眠管理装置１０を抱擁することで、癒しを実感しながら、音声を耳元で聞くことが出来る。
【００８０】
また、携帯端末１２は、コンテンツを再生すると共に、デジタルフィルタ機能を実行して、ユーザの呼吸を検出する。具体的は、ユーザの呼吸音の周波数帯の音声を通過させるＢＰＦとしてＤＳＰ６０ａを機能させ、マイク４６によって集音された音声から呼吸音の音声データが抽出される。このように、ユーザが睡眠管理装置１０を抱擁すればマイク４６がユーザの口元に近づくため、ユーザの呼吸音を適切に集音することができる。なお、マイク４６はユーザの呼吸を検出する際に利用されるため、マイク４６は検出手段と言われることもある。また、抽出した音声データの信号が小さい場合、その音声データに対して増幅処理が施される。
【００８１】
このようにして抽出された呼吸音の音声データには、周波数解析などの所定の処理がさらに施され、ユーザの呼吸が検出される。そして、検出されたユーザの呼吸から、単位時間（たとえば、６０秒）当たりの呼吸数が検出される。たとえば、本実施例では６０秒間の呼吸数がカウントされる。ただし、他の実施例では、一定時間（たとえば、１０秒）当たりの呼吸数がカウントされ、その呼吸数を所定倍（たとえば、６倍）にすることで、単位時間当たりの呼吸数が算出されてもよい。
【００８２】
また、本実施例では、単位時間当たりの呼吸数が閾値より少なくなると、ユーザが寝付いたと判断される。そして、ユーザが寝付いたと判断された場合、再生されているコンテンツの音声の音量が下げられる。
【００８３】
たとえば、ユーザは、抱擁体２０（睡眠管理装置１０）を抱擁することで、癒しを実感し落ち着いた状態となる。この状態で、たとえば保護者が歌った子守唄などのコンテンツを再生すれば、ユーザはコンテンツの音声、つまり保護者が歌った子守唄の音声を耳元で聞くことが出来る。そして、ユーザが寝付いた場合には、コンテンツの音声の音量が下がるため、コンテンツの音声がユーザの睡眠を妨げることはない。
【００８４】
このように、ユーザは、抱擁体２０を抱擁することで癒しを実感し、落ち着いて音声を聞くことが出来るため、ユーザは容易に寝付くことが出来る。たとえば、保護者は、乳幼児などに睡眠管理装置１０を利用させることで、ユーザを容易に寝付かせることが出来る。
【００８５】
また、ユーザの保護者は、ユーザを寝付かせる際には、予め用意したコンテンツを再生すればよい。つまり、保護者は、予め用意したコンテンツを利用して、ユーザを容易に寝付かせることが出来る。
【００８６】
なお、他の実施例では、コンテンツは、絵本の内容を朗読したものまたはリラックス効果のある音楽などであってもよい。
【００８７】
上述では第１実施例の特徴を概説した。以下では、図５に示すメモリマップおよび図６に示すフロー図を用いて本実施例について詳細に説明する。
【００８８】
図５は携帯端末１２のメモリ７６のメモリマップの一例を示す図解図である。図５に示すように、メモリ７６はプログラム記憶領域３０２およびデータ記憶領域３０４を含む。プログラム記憶領域３０２には、デジタルフィルタ機能を実行するためのデジタルフィルタプログラム３１０、音声通話を行うための音声通話プログラム３１２、コンテンツ再生機能を実行するためのコンテンツ再生プログラム３１４および睡眠管理機能を実行するための睡眠管理プログラム３１６などが記憶される。なお、図示は省略するが、携帯端末１２を動作させるためのプログラムには、ＢＴ通信を確立するためのプログラムなども含まれる。
【００８９】
データ記憶領域３０４には、加速度バッファ３３０、フィルタバッファ３３２、出力バッファ３３４および音量バッファ３３６などが設けられると共に、コンテンツデータ３３８などが記憶される。
【００９０】
加速度バッファ３３０には、加速度センサ８０から出力された加速度のデータが一時的に記憶される。フィルタバッファ３３２には、デジタルフィルタプログラム３１０によるデジタル信号処理によって得られた音声データが一時的に記憶される。出力バッファ３３４には、スピーカ４８から出力される音声に対応する音声データが一時的に記憶される。たとえば、コンテンツが再生されている場合、出力バッファ３３４には、そのコンテンツの音声データが一時的に記憶される。音量バッファ３３６には、出力される音声の音量を示す値が一時的に記憶される。
【００９１】
コンテンツデータ３３８は、上述した子守唄のコンテンツなどを含む。そして、コンテンツ再生プログラム３１４が実行されると、コンテンツデータ３３８は、読み出され、再生処理が施される。
【００９２】
なお、図示は省略するが、データ記憶領域３０４には、様々な計算の結果を一時的に格納するバッファおよび携帯端末１２の動作に必要な他のカウンタおよびフラグなども設けられる。
【００９３】
携帯端末１２のプロセッサ６０は、Ｌｉｎｕｘ（登録商標）ベースのＯＳまたはその他のＯＳの制御下で、図６に示す睡眠管理処理などを含む、複数のタスクを処理する。
【００９４】
図６は睡眠管理処理のフロー図である。たとえば、ユーザの保護者によって睡眠管理機能を実行する操作がされると、睡眠管理処理が実行される。
【００９５】
睡眠管理処理が実行されると、プロセッサ６０はステップＳ１で、音声を出力する命令が発行されたか否かを判断する。たとえば、コンテンツを選択する操作がされ、音声を出力する命令が発行されたかが判断される。ステップＳ１で“ＮＯ”であれば、たとえばコンテンツが選択されず、音声を出力する命令が発行されなければ、プロセッサ６０はステップＳ１の処理を繰り返す。一方、ステップＳ１で“ＹＥＳ”であれば、たとえばユーザの保護者がコンテンツを選択し、音声を出力する命令が発行されると、ステップＳ３でプロセッサ６０は、音声を出力する。たとえば、選択されたコンテンツの音声データが出力バッファ３３４に記憶され、その音声データに対応する音声がスピーカ４８から出力される。
【００９６】
続いて、ステップＳ５でプロセッサ６０は、呼吸音から単位時間当たりの呼吸数を検出する。たとえば、フィルタバッファ３３２に記憶されている呼吸音の音声データから、たとえば、単位時間当たりの呼吸数がカウントされる。
【００９７】
続いて、ステップＳ７でプロセッサ６０は、呼吸数が閾値より少ないか否かを判断する。つまり、ユーザが寝付いたかが判断される。ステップＳ７で“ＮＯ”であれば、たとえばユーザが寝付いておらず、呼吸数が閾値よりも多ければ、プロセッサ６０はステップＳ５の処理に戻る。一方、ステップＳ７で“ＹＥＳ”であれば、たとえばユーザが寝付いたため、呼吸数が閾値より少なくなれば、ステップＳ９でプロセッサ６０は、音量を下げる。たとえば、コンテンツの音声の音量が下げられる。このとき、音量バッファ３３６に記憶されている音量の値が下げられる。そして、ステップＳ９の処理が終了すると、プロセッサ６０は睡眠管理処理を終了する。
【００９８】
＜第２実施例＞
図７を参照して、第２実施例では、携帯端末１２と保護者の携帯端末１４とが通話可能状態を確立し、携帯端末１２のスピーカ４８は保護者の音声を出力する。なお、睡眠管理装置１０および携帯端末１２は第１実施例と同じものであり、携帯端末１４の構成は携帯端末１２と略同じであるため、これらの詳細な説明は省略する。
【００９９】
たとえば、ユーザの保護者は、携帯端末１４からの着呼があった場合には自動的に応答するように、携帯端末１２に対して設定を行う。次に、保護者は、このように設定した携帯端末１２をポケット２６に収納した睡眠管理装置１０を、ユーザに抱擁させる。次に、保護者が自身の携帯端末１４から携帯端末１２に対して発呼すると、携帯端末１２と携帯端末１４との通話可能状態が自動的に確立される。この状態で、ユーザは自身の携帯端末１４に対して子守唄を歌ったり、ユーザに対して語りかけたりする音声を入力すると、携帯端末１２のスピーカ４８から保護者の音声が出力される。そして、保護者は、ユーザの状況に合わせてユーザに対して話しかけることが出来る。
【０１００】
また、第２実施例では、ユーザが寝付いたと判断された場合、保護者に対してユーザが寝付いたことが通知される。つまり、ユーザの保護者は、ユーザの傍にいない状態であっても、ユーザが寝付いたことを確認することが出来る。
【０１０１】
なお、他の実施例では、ＩＰ電話機能または音声チャット機能を有するアプリケーション（たとえば、ＬＩＮＥ（登録商標））などを利用して、携帯端末１２と携帯端末１４との通信を確立し、保護者の音声が携帯端末１４から携帯端末１２に送信されてもよい。
【０１０２】
また、携帯端末１２と携帯端末１４とは、ネットワークを介さずに通信を確立してもよい。
【０１０３】
また、保護者は、ユーザと同じ空間（部屋）に居てもよいし、他の空間（他の部屋または建物）に居てもよい。
【０１０４】
上述では第２実施例の特徴を概説した。以下では、図８に示すフロー図を用いて本実施例について詳細に説明する。
【０１０５】
図８は第２実施例の睡眠管理処理のフロー図である。睡眠管理処理が実行されると、プロセッサ６０はステップＳ１で、音声を出力する命令が発行されたか否かを判断する。たとえば、保護者の携帯端末１４との通話可能状態が確立され、受話音声を出力する命令が発行されたかが判断される。ステップＳ１で“ＮＯ”であれば、たとえば保護者の携帯端末１４からの着呼が無ければ、プロセッサ６０はステップＳ１の処理を繰り返す。一方、ステップＳ１で“ＹＥＳ”であれば、たとえば保護者の携帯端末１４との通話可能状態が確立され、受話音声を出力する命令が発行されると、ステップＳ３でプロセッサ６０は、音声を出力する。たとえば、保護者の音声がスピーカ４８から出力される。
【０１０６】
続いて、プロセッサ６０は、ステップＳ５で呼吸音から単位時間当たりの呼吸数を検出し、ステップＳ７で呼吸数が閾値よりも少ないかを判断する。ステップＳ７で“ＮＯ”であれば、プロセッサ６０はステップＳ５の処理に戻る。一方、ステップＳ７で“ＹＥＳ”であれば、ステップＳ９でプロセッサ６０は、音量を下げる。
【０１０７】
続いて、ステップＳ１１でプロセッサ６０は、寝付いたことを通知する。たとえば、ユーザが寝付いたと判断されたため、保護者の携帯端末１４において、ユーザが寝付いたことを伝える音声（アラーム音など）が出力されると共に、ユーザが寝付いたことを伝えるメッセージがディスプレイに表示される。
【０１０８】
なお、ステップＳ３の処理を実行するプロセッサ６０は出力手段として機能する。また、ステップＳ５の処理を実行するプロセッサ６０は呼吸数検出手段として機能する。また、ステップＳ９の処理を実行するプロセッサ６０は音量制御手段として機能する。そして、ステップＳ１１の処理を実行するプロセッサ６０は通知手段として機能する。
【０１０９】
また、第１実施例と第２実施例とは任意に組み合わせられてもよい。たとえばユーザの保護者は、携帯端末１２と携帯端末１４との通話可能状態が確立された後に、自身の携帯端末１４に記憶されているコンテンツを再生して、携帯端末１２のスピーカ４８から出力させてもよいし、携帯端末１２においてコンテンツが再生されるように、携帯端末１４からコンテンツの再生命令を発行してもよい。
【０１１０】
また、図６または図８に示す睡眠管理処理は、保護者の携帯端末１４のプロセッサによって実行されてもよい。たとえば、携帯端末１２は、ユーザの呼吸音の音声データを保護者の携帯端末１４に送信し、保護者の携帯端末１４は音声を出力する命令および音量を下げる命令を携帯端末１２に対して出す。
【０１１１】
＜第３実施例＞
図９を参照して、第３実施例の睡眠管理システム１００は、睡眠管理装置１０、携帯端末１２、保護者の携帯端末１４および無線カメラ１６を有する。なお、睡眠管理装置１０および携帯端末１２は第１実施例のものと同じであり、携帯端末１４は第２実施例と同じであるため、ここでの詳細な説明は省略する。
【０１１２】
無線カメラ１６は、近距離無線通信を利用して、携帯端末１２との無線通信が確立されている。また、無線カメラ１６は、ユーザの周辺の静止画像または動画像を撮影することが可能なように設けられている。そして、無線カメラ１６によって撮影された静止画像または動画像は、必要に応じて保護者の携帯端末１４に送信される。なお、以下の説明では、静止画像および動画像はまとめて「画像」と言う。また、無線カメラ１６は単にカメラと言われることもある。
【０１１３】
図１０を参照して、図９に示す無線カメラ１６は、制御ＩＣ１１０などを含む。制御ＩＣ１１０には、バス１１２を介して、メモリ１１４、カメラモジュール１１６およびＢＴモジュール１１８などが接続される。
【０１１４】
制御ＩＣ１１０は、キャッシュメモリなどを有し、無線カメラ１６の動作を制御する。たとえば、制御ＩＣ１１０は、携帯端末１２からの命令に従って画像を撮影し、撮影によって得られた撮影画像データを携帯端末１２に送信する。
【０１１５】
メモリ１１４は、ＲＯＭおよびＲＡＭを含む。ＲＡＭには、ＲＯＭに予め設定されているプログラムの全部または一部が使用に際して展開され、制御ＩＣ１１０はこのＲＡＭ上のプログラムに従って動作する。また、ＲＡＭはさらに、制御ＩＣ１１０のワーキング領域ないしバッファ領域として用いられる。
【０１１６】
カメラモジュール１１６は制御回路、レンズおよびイメージセンサなどを含む。制御ＩＣ１１０は、携帯端末１２から画像を撮影する命令を受信すると、制御回路およびイメージセンサを起動する。そして、イメージセンサから出力された信号に基づく画像データがカメラモジュール１１６に入力されると、被写界に対応する動画像がメモリ１１４に記憶される。また、携帯端末１２から静止画像を撮影する命令を受信すると、撮影操作が行われたときの日時が取得され、画像データに対応するメタデータが作成される。このメタデータには、データ名および撮影日時などの情報が含まれる。撮影によって得られた画像データは、メタデータが対応付けられ、１つの画像ファイルとしてメモリ１１４に記憶される。
【０１１７】
ＢＴモジュール１１８は、携帯端末１２が備えるＢＴモジュール８２と略同じであり、制御ＩＣ１１０から与えられた送信データを他の装置に送信する。本実施例では、ＢＴモジュール１１８は、携帯端末１２のＢＴモジュール８２から画像の撮影を指示する命令を受信し、受信した命令を制御ＩＣ１１０に与える。また、ＢＴモジュール１１８は、カメラモジュール１１６による撮影によって得られた撮影画像データを携帯端末１２のＢＴモジュール８２に送信する。なお、撮影画像データには、静止画像データ、動画像データまたはこれらのデータを合わせたものが含まれる。
【０１１８】
第３実施例の睡眠管理システム１００では、ユーザの保護者からの要求またはユーザの異常動作の検出などに応じて、ユーザが撮影され、撮影画像データが保護者の携帯端末１４に送信される。
【０１１９】
まず、ユーザの保護者からの要求について説明する。保護者が携帯端末１４に対してユーザの画像を要求する操作を行うと、画像の送信を要求する要求コマンドが携帯端末１２に送信される。携帯端末１２は、携帯端末１４から受信した要求コマンドに応答して、無線カメラ１６に対して画像の撮影を指示する命令を送信する。無線カメラ１６では、受信した命令に応じてユーザの画像が撮影され、撮影画像データが携帯端末１２に送信される。そして、携帯端末１２は、無線カメラ１６から受信した撮影画像データを、携帯端末１４に送信する。したがって、ユーザの保護者は、必要なときにユーザの状態を確認することが出来る。
【０１２０】
次に、ユーザの異常動作の検出について説明する。第３実施例では、ユーザが睡眠管理装置１０を使って寝ようとしていない動作が異常動作とされる。また、異常動作の具体例としては、ユーザが睡眠管理装置１０を抱擁しているときに、ユーザが睡眠管理装置１０を離す動作または睡眠管理装置１０を抱擁したまま起き上がる動作などが考えられる。そして、ユーザがこれらの異常動作を行うと、ユーザ（睡眠管理装置１０）が動くため、携帯端末１２の加速度センサ８０が出力する加速度が大きく変化する。そこで、第３実施例では、加速度センサ８０から出力されるユーザの加速度が所定値より大きい場合に、ユーザが異常動作を行ったと判断される。そして、ユーザが異常動作を行ったと判断された場合は、ユーザの保護者から要求があった場合と同様、無線カメラ１６に対して画像の撮影を指示する命令を送信し、これによって受信した撮影画像データが携帯端末１４に送信される。したがって、ユーザの保護者は、ユーザが異常動作を行ったことに気づくことが出来ると共に、そのときのユーザの状態を確認することが出来る。
【０１２１】
以上のことから、第３実施例では、ユーザの保護者は、ユーザの状態を画像によって確認することが出来るため、ユーザの近くに常に待機する必要がなくなる。
【０１２２】
なお、第３実施例でも、第１実施例および第２実施例と同様、スピーカ４８から音声が出力され、ユーザが寝付いたと判断されたときに、その音声の音量が下げられる。
【０１２３】
また、他の実施例では、保育者の要望などに関係なく、無線カメラ１６によって撮影された画像は、常に保護者の携帯端末１４に送信されていてもよい。
【０１２４】
また、保護者の携帯端末１４と無線カメラ１６とが同一のネットワーク内に存在する場合は、画像を撮影する命令が携帯端末１４から無線カメラ１６に対して直接送信されてもよい。この場合は、無線カメラ１６によって撮影された画像も、無線カメラ１６から携帯端末１４に対して直接送信される。また、異常動作が検出された場合は、画像を撮影する命令が携帯端末１２から送信されるが、撮影画像データは無線カメラ１６から携帯端末１４に対して直接送信される。
【０１２５】
また、第３実施例では、携帯端末１２と無線カメラ１６とは、ＢＴ方式の近距離無線通信を利用して通信を確立したが、その他の実施例では、携帯端末１２と無線カメラ１６とは有線で接続されてもよい。また、さらにその他の実施例では、ＢＴ方式以外の近距離無線通信を利用して通信が確立されてもよい。たとえば、ＢＴ方式以外の近距離無線通信としては、Ｗｉ−Ｆｉ方式の近距離無線通信が考えられる。Ｗｉ−Ｆｉ(Wireless Fidelity)は、通信規格であるＩＥＥＥ  ８０２．１１シリーズ（ＩＥＥＥ  ８０２．１１ａ／ｂ／ｇ／ｎなど）を利用した無線機器間の相互接続性等について、所定の認証機関によって認証されたことを示す名称である。
【０１２６】
また、他の実施例では、携帯端末１４もＷｉ−Ｆｉ方式の近距離無線通信させた場合、無線カメラ１６をＷｉ−Ｆｉ方式の近距離無線通信におけるアクセスポイントとして機能させてもよい。この場合、携帯端末１２と携帯端末１４とは、このアクセスポイントを利用して通信を確立し、保護者の音声が携帯端末１４から携帯端末１２に送信されてもよい。
【０１２７】
また、その他の実施例では、空間に配置された照明器具または空調機がネットワークなどを介して制御可能である場合、睡眠管理システム１００によって、ユーザの周囲に配置された照明器具または空調機などが制御されてもよい。たとえば、その他の実施例の睡眠管理システム１００は、ユーザが寝付いたと判断すると、コンテンツの音声の音量を下げると共に、照明器具の電源をオフにしたり、照明器具の明るさ（たとえば、照度）を下げたり、空間の温度を空調機によって変化させたりする。この場合、ユーザの保護者は、ユーザが寝付いたと判断されたときに、照明器具および空調機をどのように制御するかを予め設定できてもよい。
【０１２８】
具体的には、照明器具および空調機をネットワークに接続し、携帯端末１２がネットワークを介して照明器具および空調機を制御可能な状態に設定する。そして、携帯端末１２は、ユーザが寝付いたと判断すると、コンテンツの音声の音量を下げると共に、照明器具および空調機の一方または両方を制御する。ただし、照明器具および空調機は、ネットワークを介さずに無線または有線によって携帯端末１２と接続されてもよい。この場合、携帯端末１２は、無線通信または有線通信によって照明器具および空調機を制御する。
【０１２９】
また、さらにその他の実施例では、睡眠管理システム１００は、照明器具および空調機などを状況に応じて適切に制御することが可能な、いわゆるスマートハウスの制御システムに接続されていてもよい。また、スマートハウスの制御システムが、部屋を暗くしたり、空間の温度を下げたりする睡眠モードを有している場合、睡眠管理システム１００は、ユーザが寝付いたと判断すると、ユーザが居る空間を睡眠モードとするように制御システムに対して制御信号を送信する。その結果、ユーザが寝付くと、携帯端末１２から出力されるコンテンツの音声の音量が下がると共に、ユーザが居る空間は照明が暗くなったり、空間の温度が下がったりする睡眠モードに移行する。
【０１３０】
このように、その他の実施例およびさらにその他の実施例によれば、ユーザの睡眠を妨げる要素を極力排除することが出来る。なお、これらの実施例でも、ユーザが寝付いたと判断されると、無線カメラ１６による撮影によって得られた撮影画像データは、保護者の携帯端末１４に送信される。
【０１３１】
上述では第３実施例の特徴を概説した。以下では、図１１に示すメモリマップおよび図１２に示すフロー図を用いて本実施例について詳細に説明する。
【０１３２】
図１１を参照して、第３実施例のプログラム記憶領域３０２には、第１実施例のメモリマップ（図５）に示されるプログラムに加えて、無線カメラ１６によって撮影された画像を送信するための画像送信プログラム３１８などがさらに記憶される。
【０１３３】
また、データ記憶領域３０４には、第１実施例のメモリマップ（図５）に示されるバッファに加えて、無線カメラ１６から送信された撮影画像データが一時的に記憶される画像バッファ３４０などがさらに設けられる。
【０１３４】
第３実施例の携帯端末１２のプロセッサ６０は、図６または図８に示す睡眠管理処理に加えて、図１２に示す画像送信処理などをさらに含む、複数のタスクを処理する。
【０１３５】
図１２は画像送信処理のフロー図である。たとえば睡眠管理処理が実行されると、画像送信処理も実行される。
【０１３６】
画像送信処理が実行されると、プロセッサ６０はステップＳ２１で、画像の送信が要求されたか否かを判断する。つまり、ユーザの保護者の携帯端末１４から画像の送信を要求する要求コマンドが送信されたかが判断される。ステップＳ２１で“ＹＥＳ”であれば、たとえば保護者が携帯端末１４に対して画像を要求する操作を行ったことで、要求コマンドを受信すると、ステップＳ２３でプロセッサ６０は、画像の撮影を指示する。つまり、無線カメラ１６に対して画像の撮影を指示する命令が送信される。続いて、ステップＳ２５でプロセッサ６０は、撮影画像データを受信したか否かを判断する。つまり、無線カメラ１６によって画像が撮影され、その撮影によって得られた撮影画像データを無線カメラ１６から受信したかが判断される。また、具体的には、画像バッファ３４０に撮影画像データが記憶されているかが判断される。ステップＳ２５で“ＮＯ”であれば、つまり無線カメラ１６から撮影画像データを受信していなければ、プロセッサ６０はステップＳ２５の処理を繰り返す。
【０１３７】
また、ステップＳ２５で“ＹＥＳ”であれば、つまり無線カメラ１６から撮影画像データを受信すると、ステップＳ２７でプロセッサ６０は、保護者の携帯端末１４に撮影画像データを送信する。つまり、無線カメラ１６から受信した撮影画像データが、保護者の携帯端末１４に送信される。そして、ステップＳ２７の処理が終了すると、プロセッサ６０は、ステップＳ３１の処理に進む。なお、ステップＳ２７の処理を実行するプロセッサ６０は送信手段として機能する。
【０１３８】
また、ステップＳ２１で“ＮＯ”であれば、たとえば要求コマンドを受信しなければ、ステップＳ２９でプロセッサ６０は、異常動作が行われたか否かを判断する。つまり、加速度バッファ３３０に記憶されている加速度の値が所定値よりも大きいかが判断される。ステップＳ２９で“ＹＥＳ”であれば、たとえばユーザが睡眠管理装置１０を抱擁しているときに、ユーザが睡眠管理装置１０を離す動作を行い、加速度バッファ３３０に記憶される加速度の値が所定値よりも大きくなると、プロセッサ６０は上述したステップＳ２３−Ｓ２７の処理を実行する。一方、ステップＳ２９で“ＮＯ”であれば、つまり異常動作が行われなければ、プロセッサ６０はステップＳ３１の処理に進む。
【０１３９】
続いて、ステップＳ３１でプロセッサ６０は、終了命令か否かを判断する。たとえば、画像送信処理を終了させる終了命令が発行されたかが判断される。ステップＳ３１で“ＮＯ”であれば、つまり終了命令が発行されていなければ、プロセッサ６０はステップＳ２１の処理に戻る。一方、ステップＳ３１で“ＹＥＳ”であれば、たとえば睡眠管理処理が終了し、終了命令が発行されると、プロセッサ６０は画像送信処理を終了する。
【０１４０】
＜第４実施例＞
図１３を参照して、第４実施例では、ＦＭ受信機２００とも言われる携帯端末１２が利用され、携帯端末１４に代えてＦＭ送信機２０２が利用される。この場合、睡眠管理装置１０のポケット２６にはＦＭ受信機２００が収納され、保護者はＦＭ送信機２０２を所持する。なお、睡眠管理装置１０は、第１実施例のものと同じであるため、詳細な説明は省略する。
【０１４１】
ＦＭ受信機２００は、ＦＭ放送に準拠したＦＭ信号を受信するものである。本実施例のＦＭ受信機２００は、音声信号を含むＦＭ信号を受信し、その音声信号に応じた音声を出力する。そのため、ＦＭ受信機２００はＦＭラジオまたはラジオと言われることがある。
【０１４２】
ＦＭ送信機２０２は、ＦＭ放送に準拠したＦＭ信号を送信するものである。本実施例のＦＭ送信機２０２は、マイク２０４から出力された音声信号を含むＦＭ信号（以下、単に「音声信号」と言う）を送信する。なお、ＦＭ送信機２０２は、ＦＭトランスミッタと言われることがある。
【０１４３】
図１４を参照して、図１３に示すＦＭ受信機２００は、コンピュータまたはＣＰＵとも言われるプロセッサ２１０などを含む。プロセッサ２１０には、バス２１２を介して、ＦＭ受信回路２１４、メモリ２１８、Ａ／Ｄ変換器２２０およびＤ／Ａ変換器２２４などが接続される。また、ＦＭ受信回路２１４にはＦＭアンテナ２１６が接続され、Ａ／Ｄ変換器２２０には検出手段とも言われるマイク２２２が接続され、Ｄ／Ａ変換器２２４にはスピーカ２２６が接続される。
【０１４４】
プロセッサ２１０は、ＦＭ受信機２００の動作を制御する。メモリ２１８は、記憶手段とも言われ、ＲＯＭおよびＲＡＭを含む。ＲＯＭには、音声および映像のようなコンテンツのデータが記録される。ＲＡＭには、ＲＯＭに予め設定されているプログラムの全部または一部が使用に際して展開され、プロセッサ２１０はこのＲＡＭ上のプログラムに従って動作する。また、ＲＡＭはさらに、プロセッサ２１０のワーキング領域ないしバッファ領域として用いられる。
【０１４５】
なお、ＦＭ受信機２００のプロセッサ２１０は、携帯端末１２のプロセッサ６０と同様、第１実施例の睡眠管理処理などを実行することが可能である。また、プロセッサ２１０は、携帯端末１２のプロセッサ６０と同様、ＤＳＰ２１０ａを含む。
【０１４６】
ＦＭ受信回路２１４は、ＦＭアンテナ２１６を通して、ＦＭ信号を受信するための回路である。たとえばＦＭ受信機２００の電源がオンにされると、ＦＭ送信機２０２などから送信されたＦＭ信号はＦＭアンテナ２１６によって受信される。また、受信されたＦＭ信号には、ＦＭ受信回路２１４によって復調処理および復号処理が施される。なお、ＦＭ受信回路２１４およびＦＭアンテナ２１６はまとめて受信装置と言われることもある。
【０１４７】
Ｄ／Ａ変換器２２４は、復調処理および復号処理によって得られた受話音声信号、つまりデジタルの音声データをアナログの音声信号に変換して、アンプを介してスピーカ２２６に与える。したがって、受信したＦＭ信号に基づく音声がスピーカ２２６から出力される。
【０１４８】
Ａ／Ｄ変換器２２０は、携帯端末１２のＡ／Ｄ変換器６８と同様、マイク２２２から得られたアナログの音声信号をデジタルの音声データに変換し、その音声データをプロセッサ２１０に入力する。そして、マイク２２２も、携帯端末１２のマイク４６と同様、ユーザの呼吸音を集音するために用いられる。
【０１４９】
なお、ＦＭ受信機２００については、一般的に流通しているものが利用されるため、詳細な構成の図示および説明は省略する。
【０１５０】
このような、第４実施例では、ユーザの保護者は、ＦＭ送信機２０２のマイク２０４に対して音声を入力すれば、睡眠管理装置１０のポケット２６に収納されているＦＭ受信機２００のマイク２２２から、自身の音声を出力させることが出来る。すなわち、第４実施例でも、第２実施例と同様、保護者は、ユーザの状況に合わせてユーザに対して話しかけることが出来る。
【０１５１】
なお、第４実施例の他の例では、図１４に示す構成からＦＭ受信回路２１４およびＦＭアンテナ２１６を省いた、携帯端末１２が採用されてもよい。そして、このような携帯端末１２でコンテンツを再生しても、第１実施例と同様の効果を得ることが出来る。
【０１５２】
また、第４実施例のその他の例では、ＦＭ受信機２００とＦＭ送信機２０２とは有線接続されていてもよい。そして、有線接続される場合は、ＦＭ受信機２００とＦＭ送信機２０２とは、有線接続に対応する受信手段と送信手段とに変更される。
【０１５３】
また、他の実施例では、携帯端末１２またはＦＭ受信機２００と同等の構成の回路が、睡眠管理装置１０に内蔵されていてもよい。この場合、携帯端末１２はポケット２６には収納されず、マイク４６およびスピーカ４８は、ポケット２６の周囲に設けられる。
【０１５４】
また、その他の実施例では、ＣＤやＤＶＤなどを再生可能な外部機器を携帯端末１２に接続し、その外部機器によって再生されたコンテンツの音声が、携帯端末１２のスピーカ４８から出力されてもよい。
【０１５５】
また、さらにその他の実施例では、コンテンツは、ネットワーク配信形式を利用して受信されてもよい。たとえば、携帯端末１２は、コンテンツ配信サイトで配信されているコンテンツを受信して、そのコンテンツを再生してもよい。
【０１５６】
また、他の実施例では、携帯端末１２は、録音機能を有していてもよい。そして、録音機能によって録音された音声が、ユーザに聞かせるコンテンツとして再生されてもよい。
【０１５７】
また、本実施例では、睡眠管理装置１０の外観を人のミニマルデザインとすることで、ユーザの注意が睡眠管理装置１０に惹かれにくくしている。ただし、睡眠管理装置１０は、抱擁しやすい形状であればよいため、その他の実施例では、外観が人間のミニマルデザインでなくてもよい。たとえば、睡眠管理装置１０の外観は、抱擁体２０から腕部２０ｃが省略されたものであってもよい。また、睡眠管理装置１０の外観が、動物またはキャラクタなどであってもよい。この場合、睡眠管理装置１０は人形またはぬいぐるみと言われることもある。また、睡眠管理装置１０の大きさは、ユーザの身体の大きさおよび年齢の少なくとも一方に応じて変更されてもよい。
【０１５８】
また、さらにその他の実施例では、睡眠管理装置１０に対して、左右の腕を通す腕通し部を設けるようにしてもよい。たとえば、ユーザは、腕通し部に左右の腕を通すことで、睡眠管理装置１０がユーザから離れにくくなる。また、ユーザは、腕通し部に左右の腕を通せば、頭部２０ａすなわち携帯端末１２の位置が安定的に保持されるので、睡眠管理装置１０の頭部２０ａがユーザの頬に接触するようになり、さらなる癒しをユーザに与えることができる。
【０１５９】
また、他の実施例では、睡眠管理装置１０にヒータを埋め込んでユーザの腕を温めたり、睡眠管理装置１０の頭部２０ａににおい袋を収納するための別ポケットを設けたり、睡眠管理装置１０の内蔵物２４の中にバルーンを収納して睡眠管理装置１０の硬さを調節したり、睡眠管理装置１０の一部または全体が動くようにしたりして、さらなる癒しをユーザに与えるようにしてもよい。
【０１６０】
また、その他の実施例では、睡眠管理装置１０に環状の伸縮センサが設けられてもよい。そして、ユーザが睡眠管理装置１０を抱擁する際には伸縮センサがユーザに取り付けられ、ユーザの呼吸動作が伸縮センサによって検出される。この場合、伸縮センサによって検出された呼吸動作から、単位時間当たりの呼吸数が検出される。
【０１６１】
また、さらにその他の実施例では、ユーザの足などに取り付けられて、ユーザの生体情報を検出する生体センサが、睡眠管理装置１０（携帯端末１２）に接続されてもよい。この場合、ユーザの生体情報から単位時間当たりの呼吸数が検出される。
【０１６２】
このように、単位時間当たりの呼吸数は、マイク４６だけに限らず、伸縮センサや生体センサなどの様々なセンサを利用して検出されてもよい。
【０１６３】
また、他の実施例では、睡眠管理機能が実行されているときの音声は、一定時間が経過した後に、ユーザの呼吸数に関係なく音量が下げられてもよい。この場合、呼吸を検出するためのマイク４６は省かれてもよい。
【０１６４】
また、上述の実施例では、閾値（所定値）などに対して「より多い」などの言葉を用いたが「閾値より多い」とは「閾値以上」の意味も含まれる。同様に「閾値よりも少ない」とは「閾値以下」および「閾値未満」の意味も含まれる。
【０１６５】
また、本実施例で説明した複数のプログラムは、データ配信用のサーバのHDDに記憶され、ネットワークを介して本実施例と同等の構成のシステムまたは睡眠管理装置１０（携帯端末１２）に配信されてもよい。また、CD, DVD, BD (Blu-ray（登録商標） Disc)などの光学ディスク、USBメモリおよびメモリカードなどの記憶媒体にこれらのプログラムを記憶させた状態で、その記憶媒体が販売または配布されてもよい。そして、上記したサーバや記憶媒体などを通じてダウンロードされた、上記複数のプログラムが、本実施例と同等の構成のシステムまたは睡眠管理装置１０に適用された場合、本実施例と同等の効果が得られる。
【０１６６】
そして、本明細書中で挙げた、具体的な数値は、いずれも単なる一例であり、製品の仕様変更などに応じて適宜変更可能である。
【符号の説明】
【０１６７】
１０  …睡眠管理装置
１２，１４  …携帯端末
１６  …無線カメラ
２０  …抱擁体
２２  …外被
２４  …内蔵物
２６  …ポケット
４６  …マイク
４８  …スピーカ
６０  …プロセッサ
６０ａ  …ＤＳＰ
６４  …無線通信回路
７６  …メモリ
８０  …加速度センサ
８２  …ＢＴモジュール
１００  …睡眠管理システム
１１６  …カメラモジュール
１１８  …ＢＴモジュール
２００  …ＦＭ受信機
２０２  …ＦＭ送信機
２０４  …マイク
２１０  …プロセッサ
２１０ａ  …ＤＳＰ
２１４  …ＦＭ受信回路
２１８  …メモリ
２２２  …マイク
２２６  …スピーカ
【図１】
0006663552.tif 000002
【図２】
0006663552.tif 000003
【図３】
0006663552.tif 000004
【図４】
0006663552.tif 000005
【図５】
0006663552.tif 000006
【図６】
0006663552.tif 000007
【図７】
0006663552.tif 000008
【図８】
0006663552.tif 000009
【図９】
0006663552.tif 000010
【図１０】
0006663552.tif 000011
【図１１】
0006663552.tif 000012
【図１２】
0006663552.tif 000013
【図１３】
0006663552.tif 000014
【図１４】
0006663552.tif 000015